(57)【要約】【課題】リムレスメガネのレンズに無理な応力が掛かるのを防ぎ、且つ、視野を広げ、清潔に保てるようにする事。【解決手段】後端にテンプルを擁しレンズを保持しない左右のフロントフレーム（１１，１１ａ）と、左右レンズ内側の周面（３３）に設けられた不貫通孔（３４，３４ａ）に取り外し可能に螺着される左右の止着部品（２０，２０ａ）とが別体で設けられ、前記フロントフレーム又は前記止着部品のどちらか一方がそれぞれパッド足（１２，１２ａ）を有し、残りのどちらか一方が連結されてブリッジ（２１）として形成され、そして、前記フロントフレームと前記止着部品が互いに固着された構造を有するリムレスメガネの提供。【選択図】図１
2005309345.tif 000002
【特許請求の範囲】
【請求項１】
二枚のレンズの内側端部の一箇所で該レンズを保持する、所謂ワンポイント止めのリムレスメガネに於いて、後端にテンプルを擁しレンズを保持しない左右のフロントフレームと、左右のレンズ内側の周面に設けられた不貫通孔に取り外し可能に螺着される左右の止着部品と、が別体で設けられ、前記左右フロントフレームのそれぞれが先端にパッド足を有し、前記左右止着部品がブリッジ部により連結され、そして、前記左右フロントフレームのそれぞれの先端部又はその先のパッド足部と、前記止着部品のブリッジ部と、が互いに固着された事を特徴とする、リムレスメガネ。
【請求項２】
二枚のレンズの内側端部の一箇所で該レンズを保持する、所謂ワンポイント止めのリムレスメガネに於いて、後端にテンプルを擁しレンズを保持しない左右のフロントフレームと、左右のレンズ内側の周面に設けられた不貫通孔に取り外し可能に螺着される左右の止着部品と、が別体で設けられ、前記左右止着部品のそれぞれがパッド足を有し、前記左右フロントフレームがブリッジ部により連結され、そして、前記止着部品又はそのパッド足部と前記フロントフレームのブリッジ部とが互いに固着された事を特徴とする、リムレスメガネ。
【請求項３】
前記止着部品が、レンズ周面とレンズ表面に接する鉤状の当接面を有し、レンズ周面と接するレンズ周面当て部には、レンズ周面に設けられた少なくとも二箇所以上の不貫通孔に適合するネジ止め用の貫通孔が少なくとも二箇所以上設けられた事を特徴とする、請求項１又は２のいずれか１項に記載のリムレスメガネ。
【請求項４】
前記止着部品のレンズ周面当て部のネジ止め部分の少なくとも一箇所が、ネジの代わりに止着部品に固定されたピンである事を特徴とする、請求項３記載のリムレスメガネ。
【発明の詳細な説明】
【技術分野】
【０００１】  本発明は、リムレスメガネのレンズ周面への止着構造に関する。
【背景技術】
【０００２】  従来、リムレスメガネにおけるレンズと止着部品との止着の方法としては、実公昭２５−１７７号の様に、レンズ周面に切欠き部を設けて弾性部材で保持する方法や、特開平０７−２３００６２号の様にレンズ周面に穴を設けレンズ保持部に突起部を設け該突起部を該穴に挿入し接着剤で固定する方法が提案されている。【０００３】
【特許文献１】実公昭２５−１７７号
【特許文献２】特開平０７−２３００６２号
【発明の開示】
【発明が解決しようとする課題】
【０００４】  しかしながら、上記実公昭２５−１７７号の様にレンズ周面に切欠き部を設けて、弾性部材で保持する方法では、レンズが外れ易く非常に危険である。又、上記特開平０７−２３００６２号の様にレンズ周面に穴を設けレンズ保持部に突起部を設けて該突起部を該穴に挿入し接着剤で固定する方法に於いては、レンズ表面又は裏面の汚れをメガネ拭きで落とす場合にはレンズ上に引っかかるものが無くて便利であるが、接着剤でレンズとレンズ保持部の突起部を固定してしまうので外力が掛かった場合どうしても突起部及びレンズ端面に応力が掛かり部品折れ又はレンズ欠け等の事故が多くなってしまっていた。又、部品が少し損傷した場合でもレンズを含めた部品を交換しなければならず費用が掛かった。又、取り付けに関しても、精密さが要求され小売店店頭では殆んど加工が出来なかった。
【課題を解決するための手段】
【０００５】  上記課題を解決する為に、本発明に於いては、二枚のレンズの内側端部の一箇所で該レンズを保持する、所謂ワンポイント止めのリムレスメガネに於いて、後端にテンプルを擁しレンズを保持しない左右のフロントフレームと、左右のレンズ内側の周面に設けられた不貫通孔に取り外し可能に螺着される左右の止着部品と、が別体で設けられ、前記左右フロントフレームのそれぞれが先端にパッド足を有し、前記左右止着部品がブリッジ部により連結され、そして、前記左右フロントフレームのそれぞれの先端部又はその先のパッド足部と、前記止着部品のブリッジ部と、が互いに固着された事を特徴とする、リムレスメガネの提供により上記課題の解決を図った。【０００６】  又、更に二枚のレンズの内側端部の一箇所で該レンズを保持する、所謂ワンポイント止めのリムレスメガネに於いて、後端にテンプルを擁しレンズを保持しない左右のフロントフレームと、左右のレンズ内側の周面に設けられた不貫通孔に取り外し可能に螺着される左右の止着部品と、が別体で設けられ、前記左右止着部品のそれぞれがパッド足を有し、前記左右フロントフレームがブリッジ部により連結され、そして、前記止着部品又はそのパッド足部と前記フロントフレームのブリッジ部とが互いに固着された事を特徴とする、リムレスメガネにより解決を図った。すなわち、外力がテンプルからフロントフレームに掛かったとしてもレンズ等に直接応力として掛からなく損傷が少なくなる。又、前記止着部品を、レンズ周面とレンズ表面に接する鉤状の当接面を有し、レンズ周面と接する止着部品面には、レンズ周面に設けられた少なくとも二箇所以上の不貫通孔に適合する、ネジ止め用の貫通孔が少なくとも二箇所以上設けることにより更に応力の分散を図った。
【発明の効果】
【０００７】  本発明によると、先ず、フロントフレームがレンズを保持しない様にして、すなわち殆んどレンズと接触しない様にして、その為に、テンプル及びフロントフレームに外力が掛かってきてもテンプル又はフロントフレームの撓りで吸収出来、レンズ及び止着部品には応力が殆んど掛かってこない。したがって、レンズ及び止着部品の損傷が少なくなった。又、止着部品のレンズ周面への取り付けはネジによりしっかり固定するので安全で且つ取り外しができ、万が一の損傷が合った場合でも部品毎に交換・修理が可能である。又、左右のレンズ端部に止着穴及び止着部品が無く視野が非常に広くなった。そして、レンズの汚れを拭き取る場合もレンズ上のネジ頭やナット類による引っ掛かりが無くスムーズに拭き取れる。
【発明を実施するための最良の形態】
【０００８】  二枚のレンズの内側端部の一箇所で該レンズを保持する、所謂ワンポイント止めのリムレスメガネに於いて、後端にテンプルを擁しレンズを保持しない左右のフロントフレームと、左右のレンズ内側の周面に設けられた不貫通孔に取り外し可能に螺着される左右の止着部品と、が別体で設けられ、前記左右フロントフレームのそれぞれが先端にパッド足を有し、前記左右止着部品がブリッジ部により連結され、そして、前記左右フロントフレームのそれぞれの先端部又はその先のパッド足部と、前記止着部品のブリッジ部と、が互いに固着され、そして、前記止着部品がレンズ周面とレンズ表面に接する鉤状の当接面を有し、レンズ周面と接する止着部品面には、レンズ周面に設けられた少なくとも二箇所以上の不貫通孔に適合する、ネジ止め用の貫通孔が少なくとも二箇所以上設けられるようにした構造を有する、ワンポイント止めのリムレスメガネ。
【実施例】
【０００９】  以下本発明を図に従い説明すると、図１は本発明の第一の実施例に係る要部分解斜視図であって、後端にテンプルＴを擁しレンズ３０を保持しない左右のフロントフレーム１１，１１ａと、レンズ内側３２の周面３３に設けられた不貫通孔３４，３４ａに取り外し可能に螺着される左右の止着部品２０，２０ａとが別体で設けられ、そして、左右のフロントフレームの先端部の延長部がパッド足１２，１２ａとして形成され、そして左右の止着部品２０，２０ａが連結されてブリッジ２１として形成されている。この様に、レンズ３０とフロントフレーム１１，１１ａが直接連結されていないので、弾性を有するテンプルＴを開拡した場合等にフロントフレーム１１，１１ａに応力が吸収されレンズ３０に加わる力は僅かになってしまう。又左右レンズの外側には止着部品やそれを装着する穴が無いので視野が非常に広くなる。又、レンズ表面・裏面の汚れをふき取る場合にも、レンズ表裏面上にネジ・ナット類の突起が無いので非常に拭き易い。本図のように止着部品２０にレンズ表面当て部２２が設けてある場合でも、レンズ拭きが引っ掛かるような事は無かった。【００１０】  図２は図１の状態からレンズ３０に止着部品２０をネジ止めして組み付けた場合の要部斜視図であって、レンズ周面３３に少なくとも二箇所の不貫通孔３５，３６を設け、止着部品２０のレンズ周面当て部２３にも前記レンズ不貫通孔３４，３４ａに適合する場所にネジ止め用貫通孔２４，２４ａを設け二箇所以上でしっかり螺着する。そして、この場合ネジ２６，２７とネジ止め用の貫通孔２４，２５の間には多少の遊びがあるので多少の穴あけの角度の違い等はネジ締めの際に補正可能である。そして、ネジ締めの場合、レンズ周面の不貫通孔はタップを切られてあっても良く、又挿入するネジ２６，２７をタッピンネジにし、タップを切りながら螺着しても良い。又、レンズ表面当て部２２が設けられることによりレンズと止着部品との間の連結強度が増す事になる。又、図３のように、どちらか一方のネジの代わりに植設されたピン２８にしても良い。前記方法を取る事により、上記特開平０７−２３００６２号に提案されているような、突起部をレンズ周面の穴に正確に平行に挿入するという精密さは必要とされず、小売店店頭でも加工実施可能となった。【００１１】  次に図４は第一の実施例からの組み付け前の平面図であり、フロントフレーム１１，１１ａはそれぞれの後方にはテンプルＴを有しており、この場合テンプルＴはヒンジでフロントフレームに回動可能に連結されていても良く、又はテンプルとフロントフレームが一体的に形成されたインテグラルヒンジであっても構わない。そしてフロントフレームの前方端部は延長され曲げられてパッド足部１２，１２ａとして形成され、前記曲げられた近辺１３，１３ａに前記止着部品２０と２０ａ又はその開のブリッジ部分２１がロウ付けされる。そして、レンズ３０，３０ａが螺着される。【００１２】そしてその状態から、テンプル部が外に開拡されたのが図５の状態であり、この様に外力Ｓが加わっても、フロントフレーム１１，１１ａが支点１３，１３ａを中心として回動し、レンズ３０，３０ａには殆んど作用することは無い。【００１３】  図６は本���明の第二の実施例の平面図であり、この場合は、止着部品２０ａ，２０ｂにパッド足部１２ｃ，１２ｄが形成され、フロントフレーム１１，１１ａが延長部で一体的にされブリッジ部２１ａとして形成され互いに固着される場合の平面図であり、この場合でも本発明の効果すなわち、レンズに加わる力の軽減、レンズの拭き易さ、及び視野の広さ等は同じように保たれる。
【図面の簡単な説明】
【００１４】
【図１】本発明の第一の実施例の要部分解斜視図
【図２】本発明の要部斜視図
【図３】本発明の要部正面図
【図４】本発明の第一の実施例の平面図
【図５】図４からの説明用平面図
【図６】本発明の第二の実施例の平面図
【符号の説明】
１１，１１ａ‥フロントフレーム１２，１２ａ、１２ｃ，１２ｄ‥パッド足２０，２０ａ‥止着部品２１，２１ａ‥ブリッジ部２２‥レンズ表面当て部２３‥レンズ周面当て部２４、２４ａ‥レンズ周面当て部ネジ止め用貫通孔２６，２７‥ネジ２８‥ピン‥３０，３０ａ‥レンズ３２‥レンズ内側端部３３‥レンズ周面３４，３４ａ‥不貫通孔Ｔ‥テンプルＳ‥外力
【図１】
2005309345.tif 000003
【図２】
2005309345.tif 000004
【図３】
2005309345.tif 000005
【図４】
2005309345.tif 000006
【図５】
2005309345.tif 000007
【図６】
2005309345.tif 000008